(57)【要約】【課題】  携帯性、利便性、汎用性及びセキュリティレベルを確実に向上させることができる通信アダプタ及び多機能通信機を提供する。【解決手段】  通信アダプタ３は、携帯電話２のコネクタ部１４を介して同携帯電話２に電気的に接続した状態で装着される。この通信アダプタ３は、複数種の通信機器と通信可能な送受信部２１と、それら通信機器とそれぞれ対応して設定された機器コードを含む複数種の通信情報を記録するメモリ２２ａと、携帯電話２から入力される暗証コードと前記各機器コードとの照合を行い、該照合が成立した機器コードと対応する通信機器との通信を可とする制御部２２とを備えている。【選択図】      図１
2005151159.tif 000002
【特許請求の範囲】
【請求項１】
暗証コードを入力可能な入力部と、入力された暗証コードを出力可能な接続コネクタとを有する携帯機器に、該接続コネクタを介して電気的に接続した状態となるように装着可能な通信アダプタであって、
複数種の通信機器と通信可能な通信手段と、
それら通信機器とそれぞれ対応して設定された機器コードを含む複数種の通信情報を記録する記録手段と、
前記携帯機器から入力される前記暗証コードと前記各機器コードとの照合を行い、該照合が成立した機器コードと対応する通信機器との通信を可とする通信制御手段と
を備えることを特徴とする通信アダプタ。
【請求項２】
前記通信手段は、複数種の周波数帯域の電波を送信及び受信のうちの少なくとも一方が可能な無線通信機能を有し、
前記通信情報は、前記各機器コードと対応する前記各通信機器との通信に必要な通信周波数を含み、
前記通信制御手段は、前記携帯機器から入力される前記暗証コードと前記機器コードとの照合が成立した際に、該照合が成立した前記機器コードと対応する通信周波数の電波で送信または受信を可能とするべく前記通信手段を制御することを特徴とする請求項１に記載の通信アダプタ。
【請求項３】
前記通信情報は、前記各機器コードと対応する前記各通信機器との通信に必要な通信プログラムを含み、
前記携帯機器は、該通信情報を外部から取得する通信情報取得機能を有し、
当該通信アダプタは、該携帯機器により取得した通信情報に基づいて前記通信手段を制御するとともに、対応する通信機器との通信処理を行うことを特徴とする請求項１または請求項２に記載の通信アダプタ。
【請求項４】
暗証コードを入力可能な入力部と、
複数種の通信機器とそれぞれ対応して設定された機器コードを含む複数種の通信情報を記録する記録手段と、
所定の通信機器との通信を行う通信手段と、
前記入力部から入力される暗証コードと前記各機器コードとの照合を行い、該照合が成立した機器コードと対応する通信機器との通信を可とする通信制御手段と
を備えることを特徴とする多機能通信機。
【発明の詳細な説明】
【技術分野】
【０００１】
本発明は、他種の通信機器と通信可能な通信アダプタ及び多機能通信機に関するものである。
【背景技術】
【０００２】
近年、例えば車両のドア錠や住宅の玄関のドア錠などを遠隔操作によって施解錠させたり、車両のエンジンを遠隔操作によって駆動させることによって該エンジンの暖機を図ったりするなど、種々の分野に多岐にわたる遠隔操作システムが提案されている。
【０００３】
しかし、日常生活において種々の遠隔操作システムが普及すると、ユーザは、システム毎に対応した携帯操作機を所持する必要があるため、該携帯操作機の小型化が望まれている。
【０００４】
そこで従来、例えば特許文献１に示されるようなＩＤアダプタが提案されている。このＩＤアダプタは、遠隔操作の対象となる通信機器に設定されたＩＤコードと対応するＩＤコードを有しており、ブルートゥース（Ｒ）などの近距離無線通信機能を有する携帯電話に電気的に接続した状態で装着可能に構成されている。そして、該ＩＤアダプタは、通信機器から送信された送信信号を、携帯電話の近距離無線通信機能によって受信するとともに、自身に設定されたＩＤコードを含むＩＤコード信号を、該近距離無線通信機能によって送信するようになっている。すなわち、該ＩＤアダプタは、携帯電話の機能を利用して対象となる通信機器との通信を行うようになっている。
【０００５】
このため、ＩＤアダプタにはバッテリや送受信のための回路が不要となり、ＩＤアダプタの大幅な小型化が可能となる。また、ＩＤアダプタは携帯電話に装着されるため、携帯性もよくなる。よって、こうしたＩＤアダプタを用いれば、携帯操作機の携帯性及び利便性が向上することとなる。
【特許文献１】特開２００３−７８９７２号公報
【発明の開示】
【発明が解決しようとする課題】
【０００６】
ところが、こうしたＩＤアダプタを用いた場合であっても、遠隔操作の対象となる通信機器の数が増えれば、その通信機器に対応したＩＤアダプタがそれぞれ必要となる。また、ＩＤアダプタが装着される携帯電話も近距離無線通信機能を有している必要があるため、ＩＤアダプタを装着可能な携帯電話の種類も限定されてしまう。つまり、近距離無線通信機能を有した携帯電話を所持していないユーザは該ＩＤアダプタを使用できないという問題がある。
【０００７】
一方、従来、ＴＶやビデオを一つのリモートコントローラで遠隔操作可能とする多機能リモートコントローラが提案されているものの、この種の多機能リモートコントローラは機能の切換を第三者によっても容易に行うことができる。このため、該リモートコントローラを落としたり盗まれたりすると、全製品が不正に使用されるおそれがあることから、セキュリティが必要な通信機器の多機能リモートコントローラとしては適用しにくい。また、こうした多機能リモートコントローラは大型であり、所持にも適していない。
【０００８】
本発明はこうした実情に鑑みてなされたものであり、その目的は、携帯性、利便性、汎用性及びセキュリティレベルを確実に向上させることができる通信アダプタ及び多機能通信機を提供することにある。
【課題を解決するための手段】
【０００９】
上記の課題を解決するために、請求項１に記載の発明では、暗証コードを入力可能な入力部と、入力された暗証コードを出力可能な接続コネクタとを有する携帯機器に、該接続コネクタを介して電気的に接続した状態となるように装着可能な通信アダプタであって、複数種の通信機器と通信可能な通信手段と、それら通信機器とそれぞれ対応して設定された機器コードを含む複数種の通信情報を記録する記録手段と、前記携帯機器から入力される前記暗証コードと前記各機器コードとの照合を行い、該照合が成立した機器コードと対応する通信機器との通信を可とする通信制御手段とを備えることを要旨とする。
【００１０】
請求項２に記載の発明では、請求項１に記載の通信アダプタにおいて、前記通信手段は、複数種の周波数帯域の電波を送信及び受信のうちの少なくとも一方が可能な無線通信機能を有し、前記通信情報は、前記各機器コードと対応する前記各通信機器との通信に必要な通信周波数を含み、前記通信制御手段は、前記携帯機器から入力される前記暗証コードと前記機器コードとの照合が成立した際に、該照合が成立した前記機器コードと対応する通信周波数の電波で送信または受信を可能とするべく前記通信手段を制御することを要旨とする。
【００１１】
請求項３に記載の発明では、請求項１または請求項２に記載の通信アダプタにおいて、前記通信情報は、前記各機器コードと対応する前記各通信機器との通信に必要な通信プログラムを含み、前記携帯機器は、該通信情報を外部から取得する通信情報取得機能を有し、当該通信アダプタは、該携帯機器により取得した通信情報に基づいて前記通信手段を制御するとともに、対応する通信機器との通信処理を行うことを要旨とする。
【００１２】
請求項４に記載の発明では、暗証コードを入力可能な入力部と、複数種の通信機器とそれぞれ対応して設定された機器コードを含む複数種の通信情報を記録する記録手段と、所定の通信機器との通信を行う通信手段と、前記入力部から入力される暗証コードと前記各機器コードとの照合を行い、該照合が成立した機器コードと対応する通信機器との通信を可とする通信制御手段とを備えることを要旨とする。
【００１３】
以下、本発明の「作用」について説明する。
請求項１〜３に記載の発明によると、通信アダプタを携帯機器に装着し、携帯機器の入力部から暗証コードを入力すると、その入力された暗証コードと記録手段に記録された機器コードとの照合が行われ、該照合が成立した機器コードと対応した通信機器との通信が可となる。このため、一つの通信アダプタにより、複数種の通信機器との通信を行うことができる。よって、複数種の通信機器を遠隔操作する場合などに、多数の携帯操作機を所持する必要がない。しかも、携帯機器の入力部を用いて暗証コードが入力されるため、通信アダプタに該入力部を設ける必要がなく、通信アダプタを小型化することもできる。さらに、通信アダプタを携帯機器に装着しておけば、該携帯機器のみを所持することによって種々の通信機器との通信を行うことができるため、携帯性も向上する。加えて、通信アダプタには複数種の通信機器と通信可能な通信手段が設けられているため、近距離無線通信機能などを有しない携帯機器を用いることができ、汎用性も向上する。また、入力された暗証コードが、記録手段に記録された機器コードと一致しないと、通信機器との通信を行うことができないため、たとえ通信アダプタを落としたり盗難されたりしても、第三者による通信アダプタの不正な使用も防止することができ、セキュリティも確保される。
【００１４】
請求項２に記載の発明によると、通信手段は送信機能と受信機能とのうちの少なくとも一方を有し、通信制御手段は、暗証コードと機器コードとの照合結果に基づいて通信手段の通信周波数を設定する。このため、通信対象となる各種通信機器の通信周波数がそれぞれ異なる場合であっても、一つの通信アダプタにより、各種通信機器に対して送信信号を送信させることが可能となる。
【００１５】
請求項３に記載の発明によると、通信機器との通信に必要な通信情報を携帯機器によって取得できるため、例えば通信アダプタによって通信可能な通信機器を追加する際に、その追加する通信機器との通信に必要な通信情報を容易に設定することが可能となる。
【００１６】
請求項４に記載の発明によると、入力部から暗証コードを入力すると、その入力された暗証コードと記録手段に記録された機器コードとの照合が行われ、該照合が成立した機器コードと対応した通信機器との通信が可となる。このため、一つの多機能通信機により、複数種の通信機器との通信を行うことができる。よって、複数種の通信機器を遠隔操作する場合などに、多数の携帯操作機を所持する必要がない。しかも、多機能通信機には複数種の通信機器と通信可能な通信手段が設けられているため、汎用性も向上する。また、入力された暗証コードが、記録手段に記録された機器コードと一致しないと、通信機器との通信を行うことができないため、たとえ多機能通信機を落としたり盗難されたりしても、第三者による該通信機の不正な使用も防止することができ、セキュリティも確保される。
【発明の効果】
【００１７】
以上詳述したように、本発明によれば、携帯性、利便性、汎用性及びセキュリティレベルを確実に向上させることができる通信アダプタ及び多機能通信機を提供することができる。
【発明を実施するための最良の形態】
【００１８】
以下、本発明を車両及び住宅のドア錠等の遠隔操作システムに具体化した一実施形態を図１〜図５に基づき詳細に説明する。
図１に示すように、遠隔操作システム１は、携帯機器としての携帯電話２、通信アダプタ３、通信機器としての車両制御装置４及び住宅制御装置５を備えている。
【００１９】
携帯電話２は、入力部１１、携帯電話機能部１２、バッテリ１３及びコネクタ部１４を備えている。入力部１１は、携帯電話２に設けられた既存の操作スイッチであり、操作された際にその操作信号を携帯電話機能部１２に出力する。携帯電話機能部１２は、携帯電話２を電話として機能させるためのユニットである。また、携帯電話機能部１２は、入力部１１から所定の暗証コードが入力されると、その暗証コードを含む入力データをコネクタ部１４に出力する。さらに、携帯電話機能部１２は、通信アダプタ３と通信機器との通信を行うために必要な通信情報を、一般公衆回線を用いて取得可能となっており、該通信情報を取得した際には、その通信情報をコネクタ部１４に出力する。
【００２０】
こうした入力部１１及び携帯電話機能部１２は、バッテリ１３から給電される電力によって駆動するようになっている。コネクタ部１４は、外部機器を接続可能な既存の接続コネクタである。そして、携帯電話機能部１２及びバッテリ１３は、コネクタ部１４に電気的に接続されている。
【００２１】
通信アダプタ３は、通信手段としての送受信部２１、通信制御手段としての制御部２２、コネクタ部２３及び充電端子２４を備えている。コネクタ部２３は、携帯電話２のコネクタ部１４に対して電気的に接続した状態で着脱可能に構成されている。つまり、通信アダプタ３は、携帯電話２に着脱可能に構成されている。送受信部２１及び制御部２２は、携帯電話２に取着された際に、各コネクタ部１４，２３を通じて前記バッテリ１３から電力が供給されるようになっている。すなわち、通信アダプタ３は、携帯電話２のバッテリ１３によって駆動されるようになっている。また、制御部２２は、各コネクタ部１４，２３を通じて携帯電話２の携帯電話機能部１２と電気的に接続されるようになっている。さらに、前記バッテリ１３は、各コネクタ部１４，２３を介して充電端子２４に接続されている。充電端子２４は、前記コネクタ部１４と同形状をなし、携帯電話２の充電器と接続可能に構成されている。よって、この充電端子２４に充電器を接続することにより、携帯電話２のバッテリ１３を充電することが可能となっている。
【００２２】
送受信部２１は、ＰＬＬ回路等を用いて構成され、複数種の周波数帯域の電波を選択的に送受信可能となっている。この送受信部２１は制御部２２に電気的に接続され、制御部２２から入力される周波数制御信号に基づき、送受信可能な周波数を変化させるようになっている。また、送受信部２１は、電波を受信するとその電波をパルス信号に復調して制御部２２に出力するとともに、制御部２２から送信信号が入力されるとその送信信号を電波に変調して送信するようになっている。
【００２３】
制御部２２は、図示しないＣＰＵ、ＲＯＭ、ＲＡＭ等からなるＣＰＵユニットであり、不揮発性のメモリ２２ａを備えている。この制御部２２には、携帯電話２から出力される入力データが、コネクタ部２３を介して入力されるようになっている。
【００２４】
図２に示すように、メモリ２２ａは、それぞれ機器コード、ＩＤコード、周波数コード及び通信プログラムからなる複数種の通信情報を記録可能となっている。詳しくは、機器コードは、携帯電話２から入力される暗証コードとの照合を行うためのコードである。ＩＤコードは、車両制御装置４や住宅制御装置５等の通信機器に設定されたＩＤコードと対応するコードである。周波数コードは、送受信部２１の送受信可能な周波数を決定するためのコードである。通信プログラムは、通信対象となる通信機器に対応した通信プロトコルの選択や、送受信部２１の送信機能、受信機能の決定などを行うためのプログラムである。
【００２５】
なお、本実施形態においては、第１機器コード、第１ＩＤコード、第１周波数コード及び第１通信プログラムからなる第１通信情報は、車両制御装置４と対応して設定されている。すなわち、第１ＩＤコードは車両制御装置４に設定された車両ＩＤコードと対応し、第１周波数コードは該車両制御装置４と通信可能な周波数に設定されている。また、第１通信プログラムは、送受信部２１を送受信装置として機能させるための通信コードを含んでいる。
【００２６】
これに対し、第２機器コード、第２ＩＤコード、第２周波数コード及び第２通信コードからなる第２通信情報は、住宅制御装置５と対応して設定されている。すなわち、第２ＩＤコードは住宅制御装置５に設定された住宅ＩＤコードと対応し、第２周波数コードは該住宅制御装置５と通信可能な周波数に設定されている。また、第２通信プログラムは、送受信部２１を送受信装置として機能させるための通信コードを含んでいる。
【００２７】
同様に、第３機器コード、第３ＩＤコード、第３周波数コード及び第３通信プログラムからなる第３通信情報や、第４機器コード、第４ＩＤコード、第４周波数コード及び第４通信プログラムからなる第４通信情報についても、それぞれ通信対象となる通信機器と対応して各コードが設定されている。なお、第３通信プログラムは送受信部２１を送信装置として機能させるための通信コードを含み、第４通信プログラムは送受信部２１を受信装置として機能させるための通信コードを含んでいる。
【００２８】
そして、制御部２２は、携帯電話２から入力データが入力されると、送受信部２１の通信制御を行う。そこで、制御部２２によって行われる通信制御を、図３のフローチャートに従って説明する。
【００２９】
まず、ステップＳ１において制御部２２は、携帯電話２からの入力データの有無を判断する。そして、制御部２２は、入力データがない場合にはここでの処理を一旦終了し、該入力データがある場合にはステップＳ２において暗証コード照合を行う。詳しくは、制御部２２は、入力された入力データに含まれる暗証コードと、メモリ２２ａに記録された各機器コードとの照合を行う。
【００３０】
次に、ステップＳ３において制御部２２は、該暗証コード照合が成立したか否かを判断する。すなわち、制御部２２は、入力された暗証コードと一致する機器コードがメモリ２２ａに記録されているか否かの判断を行う。そして、制御部２２は、該暗証コード照合が成立しなければここでの処理を一旦終了し、該暗証コード照合が成立していればステップＳ４の処理へ移行する。
【００３１】
ステップＳ４において制御部２２は、照合が成立した機器コードが属する通信情報をメモリ２２ａから読み込む。すなわち、制御部２２は、該機器コードと対応するＩＤコード、周波数コード及び通信コードをメモリ２２ａから読み込む。例えば、入力された暗証コードが前記第１暗証コードの場合、対応する機器コードは第１機器コードであるため、該第１機器コードが属する第１通信情報、すなわち、第１ＩＤコード、第１周波数コード及び第１通信プログラムが読み込まれる。
【００３２】
次に、ステップＳ５において制御部２２は、読み込んだ周波数コードに基づく周波数制御信号を送受信部２１に出力して同送受信部２１の通信周波数を設定し、ステップＳ６において通信対象となる通信機器との通信処理を行う。
【００３３】
この通信処理において、制御部２２は、例えば、送受信部２１を送信装置として機能させ、ステップＳ４で読み込んだＩＤコードを含む送信信号を送受信部２１から送信させる場合には、該送信信号を暗号化して送信させるなどの送信処理を行う。また、制御部２２は、例えば、送受信部２１を受信装置として機能させ、対応する通信周波数の電波を送受信部２１が受信した場合には、ステップＳ４で読み込んだＩＤコードを用いて受信した電波が対応する通信機器から送信された電波であるか否かを判断するなどの受信処理を行う。
【００３４】
ところで、車両制御装置４は車両内に配設され、図１に示すように、車両側送受信部３１及び車両側マイクロコンピュータ（車両側マイコン）３２を備えている。
車両側送受信部３１は、所定の周波数帯域の電波を送受信可能に構成されている。この車両側送受信部３１は車両側マイコン３２に電気的に接続され、車両側マイコン３２から車両側リクエスト信号が入力されると、その車両側リクエスト信号を電波に変調して車両の周辺及び車両室内の所定領域に選択的に送信する。また、車両側送受信部３１は、電波を受信すると、その電波をパルス信号に復調して車両側マイコン３２に出力する。
【００３５】
車両側マイコン３２は、具体的には図示しないＣＰＵ、ＲＯＭ、ＲＡＭ等からなるＣＰＵユニットであり、不揮発性のメモリ３２ａを備えている。このメモリ３２ａには、車両毎に設定された所定の第１ＩＤコードが記録されている。
【００３６】
また、車両側マイコン３２には、スタートスイッチ３３、シフトポジションセンサ３４、ドアロック駆動装置３５及びエンジン始動装置３６が接続されている。スタートスイッチ３３は、車両４の室内における運転席近辺に設けられたスイッチであり、本実施形態ではインストルメントパネルに設けられたモーメンタリ式の押しボタンスイッチによって構成されている。シフトポジションセンサ３４は、シフト位置がどの位置にあるかを検出するセンサである。ドアロック駆動装置３５は、ドア錠を自動的に施解錠する装置である。エンジン始動装置３６は図示しないセルモータに接続され、駆動信号が入力されると同セルモータを駆動してエンジンを自動的に始動させる装置である。
【００３７】
こうした車両側マイコン３２は、所定の車両側リクエスト信号を、車両側送受信部３１を介して車両の周辺及び車両室内の所定領域に選択的に送信させる。また、車両側マイコン３２は、前記車両側リクエスト信号に対応する第１ＩＤコード信号が車両側送受信部３１から入力されると、その第１ＩＤコード信号の復号化処理を行うとともに、該第１ＩＤコード信号に含まれる第１ＩＤコードと、メモリ３２ａに記録された第１ＩＤコードとの照合（ＩＤコード照合）を行う。その結果、両第１ＩＤコードが一致すると、すなわち該ＩＤコード照合が成立すると、車両側マイコン３２は、ドアロック駆動装置３５を駆動してドア錠を解錠させたり、エンジンの始動許可を行ったりする。詳しくは、車両側マイコン３２は、第１ＩＤコード信号が車両周辺に送信したリクエスト信号に応答して送信されたものであれば、ドアロック駆動装置３５に対して駆動信号を出力してドア錠を解錠させる。また、車両側マイコン３２は、第１ＩＤコード信号が車両室内に送信したリクエスト信号に応答して送信されたものであれば、エンジンを始動可能状態にする。よって、この状態でスタートスイッチ３３が操作されたときにエンジンが始動するようになる。換言すれば、エンジン始動許可状態でないときには、スタートスイッチ３３が操作されたとしてもエンジンは始動されないようになっている。なお、本実施形態においては、シフトポジションセンサ３４が「Ｐ」レンジまたは「Ｎ」レンジに位置するときにのみエンジンを始動可能に設定されている。
【００３８】
一方、住宅制御装置５は住宅のドア近辺に配設され、図１に示すように、住宅側送受信部４１及び住宅側マイクロコンピュータ（住宅側マイコン）４２を備えている。
住宅側送受信部４１は、所定の周波数帯域の電波を送受信可能に構成されている。この住宅側送受信部４１は住宅側マイコン４２に電気的に接続され、住宅側マイコン４２から住宅側リクエスト信号が入力されると、その住宅側リクエスト信号を電波に変調して住宅のドアの周辺に送信する。また、住宅側送受信部４１は、電波を受信すると、その電波をパルス信号に復調して住宅側マイコン４２に出力する。
【００３９】
住宅側マイコン４２は、具体的には図示しないＣＰＵ、ＲＯＭ、ＲＡＭ等からなるＣＰＵユニットであり、不揮発性のメモリ４２ａを備えている。このメモリ４２ａには、住宅毎に設定された所定の第２ＩＤコードが記録されている。
【００４０】
また、住宅側マイコン４２には、ドアロック駆動装置４３が接続されている。このドアロック駆動装置４３は、住宅ドアのドア錠を自動的に施解錠する装置である。
こうした住宅側マイコン４２は、所定の住宅側リクエスト信号を、住宅側送受信部４１を介してドア周辺の所定領域に送信させる。また、住宅側マイコン４２は、前記住宅側リクエスト信号に対応する第２ＩＤコード信号が住宅側送受信部４１から入力されると、その第２ＩＤコード信号を復号化処理するとともに、該第２ＩＤコード信号に含まれる第２ＩＤコードと、メモリ４２ａに記録された第２ＩＤコードとの照合（ＩＤコード照合）を行う。その結果、両第２ＩＤコードが一致すると、すなわち該ＩＤコード照合が成立すると、住宅側マイコン４２は、ドアロック駆動装置４３を駆動してドア錠を解錠させる。
【００４１】
次に、このように構成された遠隔操作システム１における通信アダプタ３と車両制御装置４との通信態様例、及び通信アダプタ３と住宅制御装置５との通信態様例を、図４及び図５に示すシーケンスチャートに従って説明する。
【００４２】
＜通信アダプタ３と車両制御装置４との通信態様例＞
まず、通信アダプタ３は、携帯電話２から第１暗証コードを含む入力データが入力されると、図４にステップＳ１１で示すように前記暗証コード照合を行う。そして、通信アダプタ３は、ステップＳ１２で示すようにメモリ２２ａから第１通信情報を読み込み、ステップＳ１３で示すように送受信部２１の通信周波数を設定する。ここで、通信アダプタ３の制御部２２は、送受信部２１を受信装置として機能させる。このため、通信アダプタ３は、受信待機状態となる。
【００４３】
一方、車両制御装置４は、ステップＳ１４で示すように前記車両リクエスト信号を出力する。通信アダプタ３は、該車両リクエスト信号を受信すると、ステップＳ１５で示すように第１ＩＤコードの暗号化処理を行う。そして、通信アダプタ３の制御部２２は、送受信部２１を送信装置として機能させ、ステップＳ１６で示すように該暗号化処理を行った第１ＩＤコード信号を送信する。
【００４４】
車両制御装置４は、第１ＩＤコード信号を受信すると、ステップＳ１７で示すように該第１ＩＤコード信号の復号化処理を行い、前記ＩＤコード照合を行う。そして、車両制御装置４は、ステップＳ１９で示すようにドア錠の解錠またはエンジン始動許可を行う。
【００４５】
したがって、この通信態様において通信アダプタ３は、車両制御装置４と自動的に送受信を行う携帯通信機として機能することとなる。
＜通信アダプタ３と住宅制御装置５との通信態様例＞
まず、通信アダプタ３は、携帯電話２から第２暗証コードを含む入力データが入力されると、図５にステップＳ２１で示すように前記暗証コード照合を行う。そして、通信アダプタ３は、ステップＳ２２で示すようにメモリ２２ａから第２通信情報を読み込み、ステップＳ２３で示すように送受信部２１の通信周波数を設定する。ここで、通信アダプタ３の制御部２２は、送受信部２１を受信装置として機能させる。このため、通信アダプタ３は、受信待機状態となる。
【００４６】
一方、住宅制御装置５は、ステップＳ２４で示すように前記住宅リクエスト信号を出力する。通信アダプタ３は、該住宅リクエスト信号を受信すると、ステップＳ２５で示すように第２ＩＤコードの暗号化処理を行う。そして、通信アダプタ３の制御部２２は、送受信部２１を送信装置として機能させ、ステップＳ２６で示すように該暗号化処理を行った第２ＩＤコード信号を送信する。
【００４７】
住宅制御装置５は、第２ＩＤコード信号を受信すると、ステップＳ２７で示すように該第２ＩＤコード信号の復号化処理を行い、前記ＩＤコード照合を行う。そして、住宅制御装置５は、ステップＳ２９で示すようにドア錠の解錠を行う。
【００４８】
したがって、この通信態様においても、通信アダプタ３は、住宅制御装置５と自動的に送受信を行う携帯通信機として機能することとなる。
なお、携帯電話２から第３暗証コードを含む入力データが入力された場合、通信アダプタ３は送信装置として機能する。このため、携帯電話２の入力部１１から第３暗証コードを入力すれば、例えば通信対象となる通信機器を遠隔操作するリモートコントローラとして通信アダプタ３を機能させることが可能となる。また、携帯電話２から第４暗証コードを含む入力データが入力された場合、通信アダプタ３は受信装置として機能する。このため、携帯電話２の入力部１１から第４暗証コードを入力すれば、例えば通信対象となる通信機器から情報を取得する携帯情報端末として通信アダプタ３を機能させることが可能となる。
【００４９】
したがって、本実施形態によれば以下のような効果を得ることができる。
（１）通信アダプタ３を携帯電話２に装着し、携帯電話２の入力部１１から暗証コードを入力すると、通信アダプタ３の制御部２２は、該入力された暗証コードとメモリ２２ａに記録された機器コードとの照合を行い、該照合が成立した機器コードを含む通信情報をメモリ２２ａから読み出す。そして、制御部２２は、その読み出した通信情報に基づき、送受信部２１の通信機能や送受信可能な周波数を制御する。すなわち、通信アダプタ３は、暗証コードと対応して設定された通信機器との通信が可能となる。換言すれば、入力した暗証コードに基づいて、通信アダプタ３と通信可能な通信機器が決定される。そして、通信情報は複数種の暗証コードにそれぞれ対応して設定されているため、一つの通信アダプタ３により、複数種の通信機器（例えば車両制御装置４や住宅制御装置５）との通信を行うことができる。よって、複数種の通信機器を遠隔操作する場合などに、多数の携帯操作機を所持する必要がない。
【００５０】
しかも、携帯電話２の入力部１１を用いて暗証コードが入力されるため、通信アダプタ３に該入力部１１に相当する構成を設ける必要がなく、通信アダプタ３を小型化することもできる。さらに、通信アダプタ３を携帯電話２に装着しておけば、該携帯電話２のみを所持することによって種々の通信機器との通信を行うことができるため、携帯性も向上する。加えて、通信アダプタ３には複数種の通信機器と通信可能な送受信部２１が設けられているため、近距離無線通信機能などを有しない携帯電話２を用いることができ、汎用性も向上する。また、入力された暗証コードが、メモリ２２ａに記録された各種機器コードと一致しないと、通信アダプタ３と通信機器との通信を行うことができないため、たとえ通信アダプタ３を落としたり盗難されたりしても、第三者による通信アダプタ３の不正な使用も防止することができ、セキュリティも確保される。
【００５１】
（２）通信アダプタ３は送信機能と受信機能とを有し、こうした通信機能も暗証コードに基づいて設定される。このため、通信アダプタ３を送信装置として機能させたり、受信装置として機能させたり、送受信装置として機能させたりすることを、暗証コードに応じて自由に設定することができる。また、通信アダプタ３の通信周波数も暗証コードに基づいて設定されるため、通信対象となる各種通信機器の通信周波数がそれぞれ異なる場合であっても、一つの通信アダプタ３により各種通信機器との通信を行うことができる。よって、通信アダプタ３の汎用性を確実に向上させることができる。
【００５２】
（３）車両制御装置４や住宅制御装置５などの通信機器との通信に必要な通信情報は、携帯電話２が一般公衆回線を利用して取得される。このため、例えば通信アダプタ３によって通信可能な通信機器を追加する際に、その追加する通信機器との通信に必要な通信情報を通信アダプタ３に容易に設定することができる。
【００５３】
なお、本発明の実施形態は以下のように変更してもよい。
・  前記実施形態において通信アダプタ３は、複数種の電波を送受信可能な送受信部２１を備え、電波による無線通信を可能とした構成となっている。しかし、例えば図６に示すように、通信アダプタ３は、赤外線などを用いた光による無線通信（光通信）を可能とする光通信部２５を備え、光通信を行う通信機器との通信をも可能とした構成となっていてもよい。また、通信アダプタ３は、光通信部２５のみを備え、光通信のみを行う構成となっていてもよい。このようにすれば、例えばテレビやエアーコンディショナなどの家電製品を通信機器として適用し、該家電製品のリモートコントローラとして通信アダプタ３を用いることができる。
【００５４】
・  前記実施形態において通信アダプタ３は、携帯電話２に装着であり、同携帯電話２の入力部１１及びバッテリ１３を利用して通信機器との通信を行うようになっている。しかし、通信アダプタ３に該入力部１１及びバッテリ１３に相当する構成を設け、該通信アダプタ３を多機能通信機に変更してもよい。このようにすれば、携帯電話２が不要になる。
【００５５】
・  前記実施形態において通信アダプタ３は、携帯電話２のバッテリ１３から供給される電力によって駆動するようになっている。しかし、通信アダプタ３に電源を設け、その電源から供給される電力によって駆動するようになっていてもよい。
【００５６】
・  前記実施形態において通信アダプタ３の送受信部２１は、送信機能及び受信機能を選択的または併用可能に構成されている。しかし、該送受信部２１は、送信機能のみを有する構成または受信機能のみを有する構成となっていてもよい。
【００５７】
・  前記実施形態において携帯電話２は、通信アダプタ３と通信機器との通信を行うために必要な通信情報を、一般公衆回線を用いて取得可能となっている。しかし、こうした携帯電話２による通信情報の取得機能は、省略されてもよい。
【００５８】
・  前記実施形態において通信アダプタ３は、第１ＩＤコード信号や第２ＩＤコード信号を送信する際に、該ＩＤコード信号の暗号化処理の暗号化処理を行うようになっている。しかし、こうした暗号化処理は必ずしも必要ではない。
【００５９】
・  前記実施形態では、携帯機器として携帯電話２を用いている。しかし、携帯機器は、携帯電話２に限らず、例えばＰＤＡ（携帯情報端末）、電子手帳、ＰＨＳなどであってもよい。
【００６０】
次に、特許請求の範囲に記載された技術的思想のほかに、前述した実施形態によって把握される技術的思想を以下に列挙する。
（１）  請求項１〜３のいずれか１項に記載の通信アダプタにおいて、当該通信アダプタは、前記携帯機器が有する電源から供給される電力により駆動すること。この技術的思想（１）に記載の発明によれば、通信アダプタに電源を搭載する必要がないため、通信アダプタの小型化を容易に図ることができる。
【００６１】
（２）  請求項１〜３、技術的思想（１）のいずれか１項に記載の通信アダプタにおいて、前記通信手段は、それぞれ通信形式の異なる複数種の通信機器と通信可能な複数種の通信ユニットからなり、前記通信制御手段は、前記照合が成立した機器コードと対応する通信機器と通信可能な通信ユニットを選定すること。この技術的思想（２）に記載の発明によれば、通信アダプタの汎用性をより高めることができる。なお、この技術的思想（２）に記載の「通信ユニット」は、前記実施形態においては、「送受信部２１」及び「光通信部２５」によって構成されている。
【００６２】
（３）  請求項１〜３、技術的思想（１），（２）のいずれか１項に記載の通信アダプタにおいて、前記通信制御手段は、前記通信情報を含む信号を前記通信機器に送信する場合にあっては、該通信情報の暗号化処理を行うこと。
【図面の簡単な説明】
【００６３】
【図１】本発明の一実施形態の遠隔操作システムの概略構成を示すブロック図。
【図２】同実施形態の通信アダプタの記録手段に記録される通信情報の一例を模式的に示す模式図。
【図３】同実施形態の通信アダプタの通信制御手段によって行われる処理を示すフローチャート。
【図４】同実施形態の遠隔操作システムの通信態様例を示すシーケンスチャート。
【図５】同実施形態の遠隔操作システムの通信態様例を示すシーケンスチャート。
【図６】他の実施形態の通信アダプタの構成を概略的に示すブロック図。
【符号の説明】
【００６４】
２…携帯機器としての携帯電話、３…通信アダプタ、４…通信機器としての車両制御装置、５…通信機器としての住宅制御装置、１１…入力部、１４…接続コネクタとしてのコネクタ部、２１…通信手段としての送受信部、２２…通信制御手段としての制御部、２２ａ…記録手段としてのメモリ。
【図１】
2005151159.tif 000003
【図２】
2005151159.tif 000004
【図３】
2005151159.tif 000005
【図４】
2005151159.tif 000006
【図５】
2005151159.tif 000007
【図６】
2005151159.tif 000008